(57)【要約】【課題】接続対象物との位置ズレを吸収することができ、しかも端子が破断しにくいコネクタを提供する。【解決手段】コネクタ１０は、固定端子４０と、固定端子４０とは別体に形成された可動端子５０と、を備えている。固定端子４０が、基板９０に固定される固定ハウジング２０に保持され、可動端子５０が、固定ハウジング２０に対して移動が可能な可動ハウジング３０に保持されている。固定端子４０と可動端子５０とが接触していることで、固定端子４０と可動端子５０とが導通接続している。そして、可動ハウジング３０が固定ハウジング２０に対して基板９０の平面に沿う方向のうちの一方向である第一方向（コネクタ前後方向）に移動するとき、固定端子４０と可動端子５０とが互いの平滑面同士を接触させたまま摺動する。【選択図】図２
2018181468.tif 000002
【特許請求の範囲】
【請求項１】
基板に固定される固定ハウジングと、
前記固定ハウジングに対して前記基板の平面に沿う方向のうちの互いに垂直な方向である第一方向と第二方向に移動が可能な可動ハウジングと、
前記固定ハウジングに保持された固定端子と、
前記固定端子とは別体に形成されると共に前記可動ハウジングに保持され、接続対象物と導通接続する可動端子と、
を備えるコネクタであって、
前記固定端子の平滑面と前記可動端子の平滑面とが接触していることで、前記固定端子と前記可動端子とが導通接続しており、
前記可動ハウジングが前記固定ハウジングに対して前記第一方向に移動するとき、前記固定端子と前記可動端子とが互いの平滑面同士を接触させたまま摺動する、
コネクタ。
【請求項２】
前記可動ハウジングが前記固定ハウジングに対して前記第二方向に移動するときも、前記固定端子と前記可動端子とが互いの平滑面同士を接触させたまま摺動する、
請求項１に記載のコネクタ。
【請求項３】
前記可動ハウジングは、前記固定端子における前記可動端子と接触する部分である固定側摺動部の当該可動ハウジングに対する前記第二方向の位置を所定の拘束範囲に拘束する拘束部を有しており、
前記固定側摺動部が前記拘束範囲に拘束されている場合、前記固定端子と前記可動端子とが導通接続する、
請求項１又は請求項２に記載のコネクタ。
【請求項４】
前記固定ハウジングは、前記可動端子における前記固定端子と接触する部分である可動側摺動部の当該固定ハウジングに対する前記第二方向の位置を所定の拘束範囲に拘束する拘束部を有しており、
前記可動側摺動部が前記拘束範囲に拘束されている場合、前記固定端子と前記可動端子とが導通接続する、
請求項１又は請求項２に記載のコネクタ。
【請求項５】
前記拘束範囲は、前記第二方向に幅のある範囲である、
請求項３又は請求項４に記載のコネクタ。
【請求項６】
前記固定端子における前記可動端子と接触する部分である固定側摺動部と、前記可動端子における前記固定端子と接触する部分である可動側摺動部とは、前記第二方向に沿う板幅が互いに異なっている、
請求項１〜請求項５の何れか一項に記載のコネクタ。
【請求項７】
前記固定端子における前記固定ハウジングに固定された部分である固定部と前記固定側摺動部との間に位置する部分であるバネ片部は、
前記基板の平面に直交する方向から見て前記第一方向に沿って延在していると共に、前記基板の平面と略直交する方向に曲げられた曲部を含んで構成されている、
請求項３に記載のコネクタ。
【発明の詳細な説明】
【技術分野】
【０００１】
本発明は、コネクタに関する。
【背景技術】
【０００２】
接続対象物と導通接続するコネクタにおいて、接続対象物との位置ズレを吸収できるようにしたものが知られている（例えば特許文献１参照）。
特許文献１に記載のコネクタは、基板に固定される固定ハウジング（固定用ブロック）と、固定ハウジングとは別体の可動ハウジング（可動用ハウジング）と、を備えている。端子（コンタクト）の第一固定部が可動ハウジングに固定され、端子の第二固定部が固定ハウジングに固定されて、可動ハウジングが固定ハウジングの底面側より浮遊するように保持されている。そして、端子における第一固定部と第二固定部との間の弾性部が弾性変形することによって、固定ハウジングに対して可動ハウジングが移動可能とされ、その結果、接続対象物との位置ズレを吸収できるようになっている。
【先行技術文献】
【特許文献】
【０００３】
【特許文献１】特開２００７−１８７８５号公報
【発明の概要】
【発明が解決しようとする課題】
【０００４】
しかしながら、上述のコネクタでは、接続対象物が基板に平行な２方向のいずれにも位置ズレした場合、その全ての位置ズレを弾性部の弾性変形により吸収することになる。そのため、弾性部に応力が集中してしまい、コンタクトが破断するおそれがある。
【０００５】
本発明は、以上の問題点に対処すべくなされたものである。すなわち、本発明の目的は、接続対象物との位置ズレを吸収することができ、しかも端子が破断しにくいコネクタを提供することにある。
【課題を解決するための手段】
【０００６】
第一の態様に係るコネクタは、基板に固定される固定ハウジングと、前記固定ハウジングに対して前記基板の平面に沿う方向のうちの互いに垂直な方向である第一方向と第二方向に移動が可能な可動ハウジングと、前記固定ハウジングに保持された固定端子と、前記固定端子とは別体に形成されると共に前記可動ハウジングに保持され、接続対象物と導通接続する可動端子と、を備えるコネクタであって、前記固定端子の平滑面と前記可動端子の平滑面とが接触していることで、前記固定端子と前記可動端子とが導通接続しており、前記可動ハウジングが前記固定ハウジングに対して前記第一方向に移動するとき、前記固定端子と前記可動端子とが互いの平滑面同士を接触させたまま摺動する。
【０００７】
第一の態様では、コネクタが、固定端子と、固定端子とは別体に形成された可動端子と、を備えている。固定端子が、基板に固定される固定ハウジングに保持され、可動端子が、固定ハウジングに対して基板の平面に沿う方向に移動が可能な可動ハウジングに保持されている。そして、固定端子と可動端子とが接触していることで、固定端子と可動端子とが導通接続している。
【０００８】
さらに、可動ハウジングが固定ハウジングに対して基板の平面に沿う方向のうちの一方向である第一方向に移動するとき、固定端子と可動端子とが互いの平滑面同士を接触させたまま摺動する。これにより、固定端子と可動端子との導通接続が保たれる。
このように、第一の態様に係るコネクタによれば、基板の平面に沿う方向のうち、少なくとも第一方向の位置ズレを固定端子と可動端子との摺動により吸収することができる。したがって、第一方向と第二方向（基板の平面に沿う方向のうち第一方向に垂直な方向）の両方の位置ズレのすべてを端子の変形により吸収するコネクタと比較して、端子に生じる応力集中が抑制され、その結果、端子の破断が抑制される。
しかも、固定端子と可動端子とが平滑面同士で接触しているため、両者が板厚面（打ち抜き面）同士で接触している場合や一方が板厚面で他方が平滑面で接触している場合と比較して、固定端子と可動端子との摺動による磨耗が発生しにくく、また、固定端子と可動端子との導通接続が安定する。
【０００９】
第二の態様に係るコネクタは、前記可動ハウジングが前記固定ハウジングに対して前記第二方向に移動するときも、前記固定端子と前記可動端子とが互いの平滑面同士を接触させたまま摺動する。
【００１０】
第二の態様に係るコネクタでは、可動ハウジングが固定ハウジングに対して第二方向に移動するときも、固定端子と可動端子とが互いの平滑面同士を接触させたまま摺動するため、第一方向だけでなく第二方向の位置ズレをも、固定端子と可動端子との摺動で吸収することができる。したがって、より一層、端子の破断が抑制される。
【００１１】
第三の態様に係るコネクタは、第一又は第二の態様において、前記可動ハウジングは、前記固定端子における前記可動端子と接触する部分である固定側摺動部の当該可動ハウジングに対する前記第二方向の位置を所定の拘束範囲に拘束する拘束部を有しており、前記固定側摺動部が前記拘束範囲に拘束されている場合、前記固定端子と前記可動端子とが導通接続する。
【００１２】
第三の態様に係るコネクタでは、可動ハウジングが拘束部を有している。拘束部は、固定側摺動部の可動ハウジングに対する第二方向の位置を所定の拘束範囲に拘束する機能を有する。固定側摺動部が所定の拘束範囲に拘束されている場合、固定端子と可動端子とが導通接続するようになっている。このため、第二方向の位置ズレを摺動により吸収できない場合や、第二方向の位置ズレを摺動により吸収できるとしてもその摺動範囲が狭い場合においても、拘束部により、固定側摺動部の固定ハウジングに対する位置を第二方向に移動させることで、第二方向の位置ズレを大きく吸収することができる。
【００１３】
なお、ここでいう「拘束範囲」は、幅が実質的にない範囲をも含む。
【００１４】
第四の態様に係るコネクタは、第一又は第二の態様において、前記固定ハウジングは、前記可動端子における前記固定端子と接触する部分である可動側摺動部の当該固定ハウジングに対する前記第二方向の位置を所定の拘束範囲に拘束する拘束部を有しており、前記可動側摺動部が前記拘束範囲に拘束されている場合、前記固定端子と前記可動端子とが導通接続する。
【００１５】
第四の態様に係るコネクタでは、固定ハウジングが拘束部を有している。拘束部は、可動側摺動部の固定ハウジングに対する第二方向の位置を所定の拘束範囲に拘束する機能を有する。可動側摺動部が所定の拘束範囲に拘束されている場合、固定端子と可動端子とが導通接続するようになっている。このため、第二方向の位置ズレを摺動により吸収できない場合や、第二方向の位置ズレを摺動により吸収できるとしてもその摺動範囲が狭い場合においても、拘束部により、可動側摺動部の可動ハウジングに対する位置を第二方向に移動させることで、第二方向の位置ズレを大きく吸収することができる。
【００１６】
なお、ここでいう「拘束範囲」は、幅が実質的にない範囲をも含む。
【００１７】
第五の態様に係るコネクタは、第三又は第四の態様において、前記拘束範囲は、前記第二方向に幅のある範囲である。
【００１８】
第五の態様に係るコネクタでは、拘束範囲が第二方向に幅のある範囲である。このため、第二方向の位置ズレが小さい場合は、摺動により位置ズレを吸収することができる。また、第二方向の位置ズレが大きくなった場合は、変形により位置ズレを吸収することができる。
【００１９】
第六の態様に係るコネクタは、第一〜第五の何れかの態様において、前記固定端子における前記可動端子と接触する部分である固定側摺動部と、前記可動端子における前記固定端子と接触する部分である可動側摺動部とは、前記第二方向に沿う板幅が互いに異なっている。
【００２０】
第六の態様に係るコネクタでは、固定側摺動部と可動側摺動部とは、第二方向に沿う板幅が互いに異なっている。このため、固定側摺動部と可動側摺動部とが第二方向に摺動する場合、互いの板幅が異なる分の摺動範囲では、互いの接触幅を減らすことなく接触状態を保つことができる。
【００２１】
第七の態様に係るコネクタは、第三の態様において、前記固定端子における前記固定ハウジングに固定された部分である固定部と前記固定側摺動部との間に位置する部分であるバネ片部は、前記基板の平面に直交する方向から見て前記第一方向に沿って延在していると共に、前記基板の平面と略直交する方向に曲げられた曲部を含んで構成されている。
【００２２】
第七の態様では、固定端子における固定ハウジングに固定された部分（固定部）と、固定側摺動部との間に位置する部分（バネ片部）は、基板の平面に直交する方向から見て第一方向に沿って延在していると共に、基板の平面と略直交する方向に曲げられた曲部を含んで構成されている。バネ片部は、拘束部によって固定側摺動部が固定ハウジングに対して第二方向に移動したときに変形する部分である。このバネ片部が基板の平面に直交する方向から見て第一方向に沿って延在していると共に、基板の平面と略直交する方向に曲げられた曲部を含んで構成されているので、バネ片部の一部に応力が集中することが抑制され、端子の破断がより一層抑制される。
【発明の効果】
【００２３】
以上説明したように、本発明は、接続対象物との位置ズレを吸収することができ、しかも端子が破断しにくいという優れた効果を有する。
【図面の簡単な説明】
【００２４】
【図１】実施形態のコネクタの正規状態を示す斜視図である。
【図２】実施形態のコネクタを中央の端子の位置で切断した様子を示す断面斜視図である。
【図３】実施形態のコネクタを左側の端子の位置で切断した様子を示す断面斜視図である。
【図４】図２をコネクタ左側から見た断面図である。
【図５】（Ａ）はコネクタ前方向の位置ズレを吸収した状態を示す断面図であり、（Ｂ）はコネクタ後方向の位置ズレを吸収した状態を示す断面図である。
【図６】正規状態のコネクタをを示す背面図である。
【図７】左方向の位置ズレを吸収した状態のコネクタを示す背面図である。
【図８】正規状態のコネクタを示す下面図である。
【図９】左方向の位置ズレを吸収した状態のコネクタを示す下面図である。
【図１０】固定ハウジングを示す斜視図である。
【図１１】右側の固定金具を示す斜視図である。
【図１２】可動ハウジングを示す斜め下方から見た斜視図である。
【図１３】固定ハウジング、固定端子及び固定金具を示す斜視図である。
【発明を実施するための形態】
【００２５】
以下、本発明の一実施形態について、図１〜図１３を用いて説明する。
【００２６】
なお、以下のコネクタ１０についての説明では、各図に示す矢印Ｘをコネクタ前方向、矢印Ｙをコネクタ幅方向一方側（左側）、矢印Ｚをコネクタ上方向として説明する。また、特記なく前後、上下、幅（左右）という語を用いる場合は、コネクタ前後方向の前後、コネクタ上下方向の上下、コネクタ幅方向（左右方向）の幅（左右）を示すものとする。
【００２７】
〔概略構成〕
図１や図２に示すように、本実施形態に係るコネクタ１０は、固定ハウジング２０と可動ハウジング３０とを備えている。固定ハウジング２０は２つの固定金具７０により基板９０（図４参照）に固定され、可動ハウジング３０は固定ハウジング２０や基板９０に対して所定の可動域で移動が可能となっている。また、コネクタ１０は、３つの固定端子４０と、固定端子とは別体に形成された３つの可動端子５０と、を備えている。固定端子４０は固定ハウジング２０に保持されており、可動端子５０は、可動ハウジング３０に保持されている。可動端子５０が接続対象物と導通接続する端子である。そして、固定端子４０と可動端子５０とが接触していることで、固定端子４０と可動端子５０とが導通接続している。
【００２８】
以下、各部の構成についてより具体的に説明する。
【００２９】
＜固定ハウジング２０＞
図１０に固定ハウジング２０を示す。固定ハウジング２０は、概略的には有底の四角筒状とされており、底壁２１と、底壁２１の周囲から上方へ立設された周壁２２と、を備えている。底壁２１は、平面視で略矩形とされている。周壁２２は、底壁２１の前後左右の前壁２２Ｆ、後壁２２Ｂ、左壁２２Ｌ及び右壁２２Ｒから構成されている。固定ハウジング２０は、合成樹脂などの絶縁体で形成されている。
【００３０】
固定ハウジング２０は、基板９０に固定するための固定部２３を有している。固定部２３は複数（本実施形態では４つ）形成されており、２つが前壁２２Ｆに形成され、残りの２つが後壁２２Ｂに形成されている。前壁２２Ｆに形成された２つの固定部２３は、前壁２２Ｆの幅方向両端付近に形成されている。他方、後壁２２Ｂに形成された２つの固定部２３は、後壁２２Ｂの幅方向両端付近に形成されており、前壁２２Ｆの２つの固定部２３と底壁２１を介して前後に対称の位置に形成されている。固定部２３は、固定ハウジング２０を上下方向に貫通する貫通孔とされており、この貫通孔に固定金具７０の一部（ハウジング固定部７４、図１１参照）が圧入されることで、固定金具７０に対して固定ハウジング２０が固定される。
【００３１】
図１１に、コネクタ１０の左右に設けられる固定金具７０のうち右側の固定金具７０を示す。固定金具７０は、基板９０に半田付けされて固定される基板固定部７１を有している。基板固定部７１は、前後に一対形成されている。一対の基板固定部７１から上方へ向けて一対の縦壁７２が延びており、前後一対の縦壁７２の上端同士を前後方向に繋ぐように上壁７３が設けられている。
【００３２】
また、固定金具７０は、固定ハウジング２０の固定部２３に圧入されるハウジング固定部７４を有している。ハウジング固定部７４は、前後一対形成されている。前後一対のハウジング固定部７４は、前後一対の縦壁７２の幅方向内側にそれぞれ設けられており、前後一対の縦壁７２の上端付近と連結されている。
【００３３】
図１３に示すように、右側の固定金具７０の２つのハウジング固定部７４が固定ハウジング２０の右側の２つの固定部２３に圧入され、左側の固定金具７０の２つのハウジング固定部７４が固定ハウジング２０の左側の２つの固定部２３に圧入されると共に、左右の固定金具７０の基板固定部７１が基板９０に固定されることで、固定ハウジング２０が基板９０に固定される。
【００３４】
固定ハウジング２０の右壁２２Ｒの上方には、右側の固定金具７０との間に空間２５が形成されている。図１に示すように、この空間２５に後述する可動ハウジング３０の右側の突出部３１が配置されている。他方、固定ハウジング２０の左壁２２Ｌの上方には、左側の固定金具７０との間に空間２５が形成されている。この空間２５に可動ハウジング３０の左側の突出部３１が配置されている。
【００３５】
また、固定ハウジング２０は、固定端子４０を保持するための保持部２４を有している。保持部２４は、複数（本実施形態では３つ）設けられ、固定ハウジング２０の前壁２２Ｆに幅方向に並んで形成されている。３つの保持部２４が形成された位置は、前壁２２Ｆの２つの固定部２３に挟まれた位置である。保持部２４は、前壁２２Ｆを上下に貫通すると共に前方へ向けても開放された溝状とされている。保持部２４に固定端子４０の固定部４２が圧入されて固定されている。
【００３６】
＜固定端子４０＞
３つの固定端子４０は互いに同じ構成とされている。なお、図面では、中央以外の固定端子４０についての符号は適宜省略している。
【００３７】
固定端子４０は、金属製の板材が打ち抜き加工された後、曲げ加工されることで形成されている。そのため、固定端子４０の表面や裏面（板厚方向の両側の面）は、打ち抜き加工されたことで形成された面（表面と裏面とを接続する面、打ち抜き面）よりも平滑な面となっている。本明細書では固定端子４０の表面や裏面のことを「平滑面」という。なお、固定端子４０の平滑面のうちコネクタ上側を向いた面を表面とし、コネクタ下側を向いた面を裏面とする。
【００３８】
図２や図４に示すように、固定端子４０は、その一端から他端へ向けて、基板接続部４１、固定部４２、第一曲部４３、第一直線部４４、第二曲部４５、第二直線部４６、及び固定側摺動部４７をこの順に有している。
【００３９】
基板接続部４１は、基板９０のランドパターンなどに半田付けで接続される部分である。基板接続部４１は、板厚方向を上下方向に向けており、一端から他端へ向けて後方へ延びている。基板接続部４１の延在方向他端側は、屈曲部を介して固定部４２に繋がっている。
【００４０】
固定部４２は、固定ハウジング２０の保持部２４に圧入されて固定される部分である。固定部４２は、板厚方向を前後方向に向けており、一端から他端へ向けて上方向に延びている。固定部２３の板幅方向両側（コネクタ幅方向両側）には係止突起（なお、図では隠れている。）が形成されている。係止突起が固定ハウジング２０に食い込むことで、固定部４２が保持部２４に固定されている。これにより、固定端子４０が固定ハウジング２０に保持されている。固定部２３の延在方向他端側は、第一曲部４３に繋がっている。
【００４１】
第一曲部４３は、板厚方向裏面側へ曲げられており、上方へ凸の湾曲した形状となっている。第一曲部４３は、その一端から他端までで延在方向を略１８０度方向転換している。第一曲部４３の延在方向他端側は、第一直線部４４に繋がっている。
【００４２】
第一直線部４４は、板厚方向を前後方向に向けており、一端から他端へ向けて下方へ延びている。第一直線部４４の延在方向他端側は、第二曲部４５に繋がっている。
【００４３】
第二曲部４５は、板厚方向表面側へ曲げられており、下方へ凸の湾曲した形状となっている。第二曲部４５は、一端から他端までで延在方向を略１２０度方向転換しており、その他端においては後方向に対して若干上方へ傾いた方向（後方かつ上方の斜め方向）へ延びている。第二曲部４５の高さ方向の位置は、固定ハウジング２０の前壁２２Ｆの高さ方向中央よりも下側の位置（つまり底壁２１付近の位置）になっており、第二曲部４５の前後方向の位置は、固定ハウジング２０の底壁２１の前後方向中央よりも前側の位置（つまり前壁２２Ｆ付近の位置）になっている。第二曲部４５の延在方向他端側は、第二直線部４６に繋がっている。
【００４４】
第二直線部４６は、板厚方向を略上下方向に向けており、一端から他端に向けて後方向に対して若干上方へ傾いた方向（後方向かつ上方向の斜め方向）に直線状に延びている。第二直線部４６の延在方向他端側は、板厚方向表面側へ若干屈曲された屈曲部を介して、固定側摺動部４７に繋がっている。
【００４５】
固定側摺動部４７は、板厚方向裏面側へ曲げられており、上方へ凸の湾曲した形状となっている。これにより、固定側摺動部４７の上側の面である表面は上方へ凸に湾曲している。そして、固定側摺動部４７の表面の凸に湾曲した部分が、可動端子５０の可動側摺動部５１に接触している。図１〜図４に示される状態（以下、この状態を「正規状態」ということがある。）では、固定端子４０が弾性変形している状態であり、固定側摺動部４７から可動側摺動部５１に対して上方向の荷重（弾性力）が作用している。すなわち、固定端子４０は、固定部４２において固定ハウジング２０の保持部２４に固定されている一方、固定側摺動部４７において可動端子５０及び可動ハウジング３０から下方向の荷重を受けている。これにより、固定端子４０における固定部４２と固定側摺動部４７との間の部分（以下、「バネ片部」ということがある。第一曲部４３、第一直線部４４、第二曲部４５、第二直線部４６など）が弾性変形している。３つの固定端子４０の弾性力により、可動端子５０及び可動ハウジング３０が上方へ押し上げられ、可動ハウジング３０の左右の突出部３１が固定金具７０の上壁７３に押し付けられている。
【００４６】
＜可動ハウジング３０＞
可動ハウジング３０は、略円柱形状の上部３０Ｕと、略直方体形状の中間部３０Ｉと、中間部よりも幅方向両側へ突出した突出部３１を有する略直方体形状の下部３０Ｌと、から構成されている。可動ハウジング３０は、合成樹脂などの絶縁体で形成されており、固定ハウジング２０とは別体とされている。
【００４７】
前述のように、可動ハウジング３０の左右の突出部３１が、固定ハウジング２０と固定金具７０とで形成された左右の空間２５（図１３参照）に配置されている。可動ハウジング３０の左右の突出部３１が左右の空間２５内に拘束されることで、可動ハウジング３０の前後上下の可動域が制限されている。
また、固定ハウジング２０の中間部３０Ｉが左右の固定金具７０の上壁７３の間に配置されている。固定ハウジング２０の中間部３０Ｉが左右の固定金具７０の上壁７３に当接することで、可動ハウジング３０の左右の可動域が制限されている。
【００４８】
可動ハウジング３０は、可動端子５０を収容するための収容部３２を有している。収容部３２は、可動端子５０の数（本実施形態では３つ）だけ形成されている。収容部３２は、可動端子５０を保持するための保持部３３を含んで構成されている。可動端子５０の固定部５２が可動ハウジング３０の保持部３３に固定されていることで、可動端子５０が可動ハウジング３０に保持されている。
【００４９】
３つの収容部３２のうち、中央の収容部３２と左右の収容部３２とは異なる構成とされている。
【００５０】
中央の収容部３２（以下、「中央収容部３２」ということがある。）は、可動ハウジング３０を上下に貫通する貫通孔とされている。中央収容部３２は、可動ハウジング３０の上部３０Ｕ、中間部３０Ｉ及び下部３０Ｌを貫通している。中央収容部３２の上端は、可動ハウジング３０の上部３０Ｕの上面に形成された開口部３２Ａにおいて上方へ開口している。開口部３２Ａは、「接続対象物」としての相手側端子８０（図４参照）が挿入されるための開口である。開口部３２Ａには、相手側端子８０を前後左右から中央収容部３２に誘い込むためのテーパ面３２ＡＴが形成されている。
【００５１】
中央収容部３２のうち相手側端子８０が収容される部分は、可動ハウジング３０の円筒形状の上部３０Ｕの中心に位置しており、平面視で矩形状とされた上下方向に延びる長孔空間である。
【００５２】
中央収容部３２は、相手側端子８０が収容される上述の空間（平面視で矩形状とされた上下方向に延びる長孔空間）に対して前方に拡大されている。この拡大された空間に、中央の可動端子５０が配置される。中央の可動端子５０が配置される前方に拡大された空間は、相手側端子８０が収容される空間よりもコネクタ幅方向の寸法が小さくなっている。
【００５３】
他方、図３に示すように、左右外側の収容部３２（外側収容部３２）は、前方へ向けて開放された溝状とされている。
【００５４】
＜可動端子５０＞
３つの可動端子５０のうち、中央の可動端子５０は信号端子とされており、両側の２つの可動端子５０はグラウンド端子（ＧＮＤ端子）とされている。
【００５５】
可動端子５０は、金属製の板材が打ち抜き加工された後、曲げ加工されることで形成されている。そのため、可動端子５０の表面や裏面（板厚方向の両側の面）は、打ち抜き加工されたことで形成された面（表面と裏面とを接続する面、打ち抜き面）よりも平滑な面となっている。本明細書では可動端子５０の表面や裏面のことを「平滑面」という。なお、可動端子５０の平滑面のうち相手側端子８０に接触する側の面を表面とし、それとは反対側の面を裏面とする。
【００５６】
中央の可動端子５０（以下、「中央可動端子５０」という。）と両側の可動端子５０（以下、「外側可動端子」という。）は、共に、その一端から他端へ向けて、可動側摺動部５１、固定部５２、及び相手側接続部５３をこの順に有している。中央可動端子５０と外側可動端子５０とは、可動側摺動部５１及び固定部２３で同一の構成とされ、相手側接続部５３で互いに異なる構成（形状）とされている（図２、図３参照）。
【００５７】
可動側摺動部５１は、固定端子４０の固定側摺動部４７と接触する部分である。可動側摺動部５１は、板厚方向を上下方向に向けており、一端から他端へ向けて前方へ直線状に延びている。可動側摺動部５１の裏面（下側の面）が固定側摺動部４７の表面（上側の面）と接触している。可動側摺動部５１の他端側は、板厚方向表面側へ向けて略９０度曲げられた屈曲部を介して、固定部５２に繋がっている。
【００５８】
固定部５２は、可動ハウジング３０の保持部３３に圧入されて固定される部分である。固定部５２は、板厚方向を前後方向に向けており、一端から他端へ向けて上方向へ直線状に延びている。固定部５２の板幅方向両側（コネクタ幅方向両側）には係止突起（なお、図では隠れている。）が形成されている。係止突起が可動ハウジング３０に食い込むことで固定部５２が可動ハウジング３０の保持部３３に固定されている。これにより、可動端子５０が可動ハウジング３０に保持されている。固定部５２は、可動ハウジング３０の前後方向中央よりも前側に配置されている。固定部５２の延在方向他端側は、板厚方向表面側へ略２０度屈曲した屈曲部を介して、相手側接続部５３に繋がっている。
【００５９】
中央可動端子５０の相手側接続部５３は、「接続対象物」としての相手側端子８０に接触して導通接続する部分である。相手側接続部５３は、一端から他端へ向けて、直線部５３Ａ、曲部５３Ｂ及び先端部５３Ｃをこの順に有している。
【００６０】
直線部５３Ａは、板厚方向を略前後方向に向けており、一端から他端へ向けて上方向に対して後ろ方向に若干傾いた方向（上方かつ後方の斜め方向）へ直線状に延びている。これにより、直線部５３Ａは、一端から他端へ向かうにつれて、中央収容部３２の前壁面３２Ｆから次第に離れるようになっており、可動ハウジング３０の前後方向中央に近づくようになっている。直線部５３Ａの他端側は、曲部５３Ｂに繋がっている。
【００６１】
曲部５３Ｂは、板厚方向裏面側へ曲げられており、後方へ向けて凸の湾曲した形状となっている。これにより、曲部５３Ｂは、一端から他端までで延在方向を上方かつ後方の斜め方向から上方かつ前方の斜め方向へ方向転換している。曲部５３Ｂの他端側は、先端部５３Ｃに繋がっている。
【００６２】
先端部５３Ｃは、一端から他端へ向けて上方かつ前方の斜め方向へ直線状に延びている。先端部５３Ｃの前側には、中央収容部３２の前壁面３２Ｆが対向している。中央収容部３２の前壁面３２Ｆには段差部３２Ｄが形成されており、中央収容部３２の前壁面３２Ｆは、その上部において前方へ拡大されている。これにより、可動端子５０の相手側接続部５３の先端部５３Ｃの前方の空間（つまり可動端子５０が変形しえる空間）が広くなっている。
【００６３】
中央収容部３２に相手側端子８０が差し込まれると、可動端子５０の相手側接続部５３の先端部５３Ｃや曲部５３Ｂに相手側端子８０が当接し、先端部５３Ｃが中央収容部３２の前壁面３２Ｆへ近づくように可動端子５０を弾性変形させる。
なお、外側可動端子５０の相手側接続部５３は、図３に示すように、中央可動端子５０とは前後逆にした構成（形状）とされている。これにより、外側可動端子５０の相手側接続部５３は、可動ハウジング３０に溝状に形成された外側収容部３２から可動ハウジング３０の前側へ突出している。
【００６４】
図６、図８、図１２に示すように、可動ハウジング３０は、可動端子５０の可動側摺動部５１が配置される配置溝３４を有している。配置溝３４は、可動ハウジング３０の下部３０Ｌの下面に形成されている。配置溝３４は、前後方向に延びる溝であり、コネクタ幅方向に並んで３つ形成されている。３つの配置溝３４の構造は互いに略同一とされている。なお、図では、中央以外の配置溝３４に関する符号を適宜省略している。
【００６５】
配置溝３４の長さＬ（前後の寸法）は、可動側摺動部５１の前後寸法と略同一とされている。これにより、可動側摺動部５１の延在方向の全体が配置溝３４に配置されている。
【００６６】
配置溝３４の深さＤ（上下の寸法）は、可動側摺動部５１の上下方向に沿う板厚ｄ（図６、図７参照）よりも大きくされている。そのため、配置溝３４の底部３４Ｂに可動側摺動部５１が配置された状態で、配置溝３４の一対の側壁面３４Ｓが可動側摺動部５１よりも下方へ突出している。
【００６７】
図６などに示すように、固定側摺動部４７のうち可動側摺動部５１に接触している部分は、配置溝３４の一対の側壁面３４Ｓの間に配置されている。配置溝３４の溝幅Ｗ（左右の寸法、一対の側壁面３４Ｓ同士の距離）は、可動側摺動部５１の板幅と略同一となっており、可動側摺動部５１は、可動ハウジング３０に対して移動しないようになっている。他方、固定側摺動部４７の板幅は、可動側摺動部５１の板幅や配置溝３４の溝幅Ｗよりも小さく形成されている。これにより、固定側摺動部４７は、一対の側壁面３４Ｓの間を幅方向に移動可能となっている。
【００６８】
図６、図８に示すように、正規状態では、３つの固定端子４０の固定側摺動部４７はすべて、３つの配置溝３４における幅方向中央に位置するようになっている。
【００６９】
次に、コネクタ１０の動作について説明する。
【００７０】
（前後の位置ズレ吸収）
図４に示す正規状態から、可動ハウジング３０が前方へ移動すると、図５（Ａ）に示す状態となる。すなわち、図４に示す正規状態では、固定側摺動部４７が可動側摺動部５１の延在方向（前後方向）の中央付近に接触している。他方、図５（Ａ）に示す状態では、固定側摺動部４７が可動側摺動部５１の延在方向一端側（前後方向後方側）に接触している。つまり、可動ハウジング３０が前方へ移動することに伴い、可動側摺動部５１における固定側摺動部４７が接触している位置が、前後方向に延在する可動側摺動部５１上を後方へ移動する。
【００７１】
他方、図４に示す正規状態から、可動ハウジング３０が後方へ移動すると、図５（Ｂ）に示す状態となる。すなわち、図４に示す正規状態では、固定側摺動部４７が可動側摺動部５１の延在方向（前後方向）の中央付近に接触している。他方、図５（Ｂ）に示す状態では、固定側摺動部４７が可動側摺動部５１の延在方向他端側（前後方向前方側）に接触している。つまり、可動ハウジング３０が後方へ移動することに伴い、可動側摺動部５１における固定側摺動部４７が接触している位置が、前後方向に延在する可動側摺動部５１上を前方へ移動する。
【００７２】
そして、可動ハウジング３０が前方または後方に移動する際、固定側摺動部４７と可動側摺動部５１とが互いの平滑面同士を接触させたまま摺動する。これにより、可動ハウジング３０が移動している最中も固定端子４０と可動端子５０との導通接続が保たれると共に、移動した後も導通接続が安定して保たれる。
【００７３】
（左右の位置ズレ吸収）
図６や図８に示す正規状態から、可動ハウジング３０が左側へ移動すると、図７や図９に示す状態となる。すなわち、図６や図８に示す正規状態では、固定側摺動部４７が配置溝３４の一対の側壁面３４Ｓの両方に対して間隔を空けている。他方、図７や図９に示す状態では、配置溝３４の右側の側壁面３４Ｓが固定側摺動部４７に右側から当接して、固定側摺動部４７を正規状態の位置よりも左側の位置へ移動させている。この状態では、固定端子４０の固定部２３と固定側摺動部４７との間の部分（バネ片部４０Ｄ）が弾性変形している。
【００７４】
正規状態から図７や図９の状態までの変移を時系列に沿って説明すると、まず固定側摺動部４７と可動側摺動部５１とが接触したまま左右方向の摺動をし、その後、右側の側壁面３４Ｓが固定側摺動部４７に右側から当接して、固定端子４０を弾性変形させる。
【００７５】
なお、図示は省略するが、正規状態から可動ハウジング３０が右側に移動すると、上述とは左右対称の動作をする。
【００７６】
以上のようにして、配置溝３４の一対の側壁面３４Ｓによって、固定側摺動部４７の可動ハウジング３０に対するコネクタ左右方向の位置が配置溝３４内（一対の側壁面３４Ｓの間）に拘束されている。そして、配置溝３４に可動側摺動部５１が配置されているので、固定側摺動部４７が配置溝３４内（一対の側壁面３４Ｓの間）に拘束されている場合、固定側摺動部４７と可動側摺動部５１とが接触した状態となる。つまり、配置溝３４の一対の側壁面３４Ｓは、固定側摺動部４７の可動ハウジング３０に対するコネクタ幅方向の位置を配置溝３４内に拘束することで、可動ハウジング３０がコネクタ幅方向に移動したときでも固定端子４０と可動端子５０との導通接続を保つ拘束部３４Ｓ（以下、配置溝３４の一対の側壁面と拘束部とで同じ符号３４Ｓを用いる。）と捉えることができる。
【００７７】
なお、可動ハウジング３０は前後と左右のそれぞれの移動だけでなく、両者が複合された移動をすることもある。しかし、その場合でも上述した動作が複合されることで前後左右の複合した位置ズレを吸収することができる。また、可動ハウジング３０は上下方向の軸周りに若干回転可能とされているが、この場合も固定端子４０と可動端子５０との導通接続が保たれたまま、可動ハウジング３０が移動する。
【００７８】
＜作用効果＞
次に、本実施形態に係るコネクタ１０の作用効果について説明する。
【００７９】
本実施形態に係るコネクタ１０は、固定端子４０と、固定端子４０とは別体に形成された可動端子５０と、を備えている。固定端子４０が、基板９０に固定される固定ハウジング２０に保持され、可動端子５０が、固定ハウジング２０に対して移動が可能な可動ハウジング３０に保持されている。そして、固定端子４０と可動端子５０とが接触していることで、固定端子４０と可動端子５０とが導通接続している。
【００８０】
さらに、可動ハウジング３０が固定ハウジング２０に対して基板９０の平面に沿う方向のうちの一方向である第一方向（コネクタ前後方向）に移動するとき、固定端子４０と可動端子５０とが互いの平滑面同士を接触させたまま摺動する。これにより、固定端子４０と可動端子５０との導通接続が保たれる。
このように、本実施形態に係るコネクタ１０によれば、基板９０の平面に沿う方向のうち、少なくとも第一方向（コネクタ前後方向）の位置ズレを固定端子４０と可動端子５０との摺動により吸収することができる。したがって、第一方向（コネクタ前後方向）と第二方向（基板の平面に沿う方向のうち第一方向に垂直な方向、コネクタ左右方向）の両方の位置ズレのすべてを端子の変形により吸収するコネクタと比較して、端子の一部に生じる応力が抑制され、その結果、端子の破断が抑制される。
しかも、固定端子４０と可動端子５０とが平滑面同士で接触しているため、両者が板厚面（打ち抜き面）で接触している場合や一方が板厚面で他方が平滑面で接触している場合と比較して、固定端子４０と可動端子５０との摺動による磨耗が発生しにくく、また、固定端子４０と可動端子５０との導通接続が安定する。
【００８１】
また、本実施形態に係るコネクタ１０では、可動ハウジング３０が固定ハウジング２０に対して第二方向（コネクタ左右方向）に移動するときも、固定端子４０と可動端子５０とが互いの平滑面同士を接触させたまま摺動するため、第一方向（コネクタ前後方向）だけでなく第二方向（コネクタ左右方向）の位置ズレをも、固定端子４０と可動端子５０との摺動で吸収することができる。したがって、より一層、端子の破断が抑制される。
【００８２】
また、本実施形態に係るコネクタ１０では、可動ハウジング３０が拘束部３４Ｓを有しており、拘束部３４Ｓは、固定側摺動部４７の可動ハウジング３０に対する第二方向（コネクタ左右方向）の位置を所定の拘束範囲に拘束する機能を有する。そして、固定側摺動部４７が所定の拘束範囲に拘束されている場合、固定側摺動部４７と可動側摺動部５１とが接触し、固定端子４０と可動端子５０とが導通接続するようになっている。このため、固定側摺動部４７や可動側摺動部５１の第二方向（コネクタ左右方向）に沿う寸法を大きく設定できず第二方向（コネクタ左右方向）の位置ズレを吸収する摺動範囲が狭い場合（例えば、本実施形態のように固定端子４０や可動端子５０をコネクタ幅方向に並列に複数並べる場合など）においても、拘束部３４Ｓにより、固定側摺動部４７の固定ハウジング２０に対する位置を第二方向（コネクタ左右方向）に移動させることで、第二方向（コネクタ左右方向）の位置ズレを大きく吸収することができる。
【００８３】
また、本実施形態に係るコネクタ１０では、拘束部３４Ｓが拘束する所定の拘束範囲が第二方向（コネクタ左右方向）に幅のある範囲である。このため、第二方向（コネクタ左右方向）の位置ズレが小さい場合は、固定端子４０と可動端子５０の摺動により位置ズレを吸収することができる。第二方向（コネクタ左右方向）の位置ズレが大きくなった場合は、固定端子４０の変形により位置ズレを吸収することができる。
【００８４】
また、本実施形態に係るコネクタ１０では、固定側摺動部４７と可動側摺動部５１とは、第二方向（コネクタ幅方向）に沿う板幅が互いに異なっている。このため、固定側摺動部４７と可動側摺動部５１とが第二方向（コネクタ幅方向）に摺動する場合、互いの板幅が異なる分の摺動範囲では、互いの接触幅を減らすことなく接触状態を保つことができる。
【００８５】
また、本実施形態に係るコネクタ１０では、固定部４２と固定側摺動部４７との間に位置するバネ片部４０Ｄ（第一曲部４３、第一直線部４４、第二曲部４５、第二直線部４６）は、基板９０の平面に直交する方向から見て第一方向（コネクタ前後方向）に沿って延在していると共に、基板９０の平面と直交する方向（コネクタ上下方向）に曲げられた曲部（第一曲部４３、第二曲部４５）を含んで構成されている。バネ片部４０Ｄは、拘束部３４Ｓによって固定側摺動部４７の固定ハウジング２０に対して第二方向（コネクタ左右方向）に移動したときに変形する部分である（図７、図９参照）。このバネ片部４０Ｄが基板９０の平面に直交する方向から見て第一方向（コネクタ前後方向）に沿って延在していると共に、基板９０の平面と直交する方向（コネクタ上下方向）に曲げられた曲部（第一曲部４３、第二曲部４５）を含んで構成されているので、バネ片部４０Ｄの一部に応力が集中することが抑制され、端子の破断がより一層抑制される。
【００８６】
また、本実施形態に係るコネクタ１０では、バネ片部４０Ｄが２つの曲部（第一曲部４３、第二曲部４５）を有しているので、より一層、応力集中が起こり難い。
【００８７】
また、本実施形態に係るコネクタ１０では、バネ片部４０Ｄに含まれる曲部（第一曲部４３、第二曲部４５）と固定側摺動部４７との間の第二直線部４６が、第一方向（コネクタ前後方向）に沿った方向を長手方向として延在している。そして、第二曲部４５が固定ハウジング２０の前壁２２Ｆ付近に位置している。このため、曲部の小さな変形で、固定側摺動部４７が大きく位置移動する。
【００８８】
また、本実施形態に係るコネクタ１０では、拘束部３４Ｓが、配置溝３４の一対の側壁面３４Ｓにより構成されている。このため、固定ハウジング２０に対して可動ハウジング３０が第二方向のうち一方側（コネクタ左側）に移動したときだけでなく、他方側（コネクタ右側）に移動したときにも、固定側摺動部４７に側壁面３４Ｓが当接し、固定端子４０を変形させることができる。
【００８９】
また、本実施形態に係るコネクタ１０では、固定端子４０の弾性力により、固定側摺動部４７が可動側摺動部５１に対して押し付けられている。固定側摺動部４７と可動側摺動部５１との接触状態が良好に保たれる。
【００９０】
さらに、本実施形態に係るコネクタ１０では、可動ハウジング３０が、基板９０に固定される固定ハウジング２０に対して基板９０の平面に垂直な方向（コネクタ上下方向）の所定可動域でも移動可能であり、上下の可動域全体において固定端子４０と可動端子５０との導通接続が保たれる。このため、基板９０に垂直な方向の位置ズレも吸収することができる。
【００９１】
〔上記実施形態の補足説明〕
なお、上記実施形態では、固定端子４０が固定ハウジング２０に圧入によって保持され、可動端子５０が可動ハウジング３０に圧入によって保持される例を説明したが、本発明はこれに限定されず、固定端子や可動端子の保持は他の方法によってもよい。
【００９２】
また、上記実施形態では、可動端子５０のうち、固定部５２とは別の部分が可動側摺動部５１とされている例を説明したが、本発明はこれに限定されない。例えば、可動側摺動部５１において可動端子５０が可動ハウジング３０に固定されていても良い。つまり、可動側摺動部と可動側固定部とが同一部分であってもよい。
【００９３】
また、上記実施形態では、配置溝３４の深さＤが可動側摺動部５１の板厚よりも大きくされており、配置溝３４の一対の側壁面３４Ｓのうち可動側摺動部５１よりもコネクタ下方へ突出した部分が拘束部３４Ｓとして機能する例を説明した。しかし、配置溝３４の深さＤが可動側摺動部５１の板厚よりも小さく形成されていてもよい。つまり、可動ハウジング３０が拘束部３４Ｓを有していなくても良い。
【００９４】
また、上記実施形態では、可動ハウジング３０が、コネクタ上下方向の所定可動域でも移動可能とされている例を説明したが、可動ハウジング３０がコネクタ上下の移動ができないように構成されていてもよい。
【００９５】
また、上記実施形態において、固定端子４０と可動端子５０とが接触する部分付近の構成を逆にしても良い。すなわち、可動ハウジング３０ではなく固定ハウジング２０に「拘束部」を設けることで、可動ハウジング３０が第二方向に移動したときに、可動端子５０が変形するように構成してもよい。
つまり、この場合、固定ハウジング２０の「拘束部」は、可動側摺動部の固定ハウジングに対する第二方向の位置を所定の拘束範囲に拘束する機能を有する。そして、可動側摺動部が所定の拘束範囲に拘束されているとき、固定端子と可動端子との導通接続が保たれるようになっている。このため、固定側摺動部や可動側摺動部の第二方向に沿う寸法を大きく設定できない場合においても、可動側摺動部の可動ハウジングに対する位置を第二方向に移動させることで、第二方向の位置ズレを大きく吸収することができる。
【符号の説明】
【００９６】
１０   コネクタ
２０   固定ハウジング
３０   可動ハウジング
３４Ｓ 拘束部
４０   固定端子
４０Ｄ バネ片部
４２   固定部
４３   第一曲部（曲部）
４５   第二曲部（曲部）
４７   固定側摺動部
５０   可動端子
５１   可動側摺動部
９０   基板
【図１】
2018181468.tif 000003
【図２】
2018181468.tif 000004
【図３】
2018181468.tif 000005
【図４】
2018181468.tif 000006
【図５】
2018181468.tif 000007
【図６】
2018181468.tif 000008
【図７】
2018181468.tif 000009
【図８】
2018181468.tif 000010
【図９】
2018181468.tif 000011
【図１０】
2018181468.tif 000012
【図１１】
2018181468.tif 000013
【図１２】
2018181468.tif 000014
【図１３】
2018181468.tif 000015
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
基板に固定される固定ハウジングと、
前記固定ハウジングに対して前記基板の平面に沿う方向のうちの互いに垂直な方向である第一方向と第二方向に移動が可能な可動ハウジングと、
前記固定ハウジングに保持された固定端子と、
前記固定端子とは別体に形成されると共に前記可動ハウジングに保持され、接続対象物と導通接続する可動端子と、
前記基板に対して前記固定ハウジング側に設けられ、前記可動ハウジングの一部に当接することで前記可動ハウジングの前記基板から離間する方向への可動域を制限する手段と、
を備えるコネクタであって、
前記固定端子の平滑面と前記可動端子の平滑面とが接触していることで、前記固定端子と前記可動端子とが導通接続しており、
前記可動ハウジングが前記固定ハウジングに対して前記第一方向に移動するとき、前記固定端子と前記可動端子とが互いの平滑面同士を接触させたまま摺動する、
コネクタ。
【請求項２】
基板に固定される固定ハウジングと、
前記固定ハウジングに対して前記基板の平面に沿う方向のうちの互いに垂直な方向である第一方向と第二方向に移動が可能な可動ハウジングと、
前記固定ハウジングに保持された固定端子と、
前記固定端子とは別体に形成されると共に前記可動ハウジングに保持され、接続対象物と導通接続する可動端子と、
前記固定ハウジングを前記基板に固定するための固定具と、
を備えるコネクタであって、
前記固定具に前記可動ハウジングの一部が当接することで、前記可動ハウジングの前記基板から離間する方向への可動域が制限され、
前記固定端子の平滑面と前記可動端子の平滑面とが接触していることで、前記固定端子と前記可動端子とが導通接続しており、
前記可動ハウジングが前記固定ハウジングに対して前記第一方向に移動するとき、前記固定端子と前記可動端子とが互いの平滑面同士を接触させたまま摺動する、
コネクタ。
【請求項３】
基板に固定される固定ハウジングと、
前記固定ハウジングに対して前記基板の平面に沿う方向のうちの互いに垂直な方向である第一方向と第二方向に移動が可能な可動ハウジングと、
前記固定ハウジングに保持された固定端子と、
前記固定端子とは別体に形成されると共に前記可動ハウジングに保持され、接続対象物と導通接続する可動端子と、
前記固定ハウジングに対して固定されると共に前記基板に固定されることで前記固定ハウジングを前記基板に固定する固定金具と、
を備えるコネクタであって、
前記固定金具に前記可動ハウジングの一部が当接することで、前記可動ハウジングの前記基板から離間する方向への可動域が制限され、
前記固定端子の平滑面と前記可動端子の平滑面とが接触していることで、前記固定端子と前記可動端子とが導通接続しており、
前記可動ハウジングが前記固定ハウジングに対して前記第一方向に移動するとき、前記固定端子と前記可動端子とが互いの平滑面同士を接触させたまま摺動する、
コネクタ。
【請求項４】
前記可動ハウジングは、前記固定端子における前記可動端子と接触する部分である固定側摺動部の当該可動ハウジングに対する前記第二方向の位置を所定の拘束範囲に拘束する拘束部を有しており、
前記固定側摺動部が前記拘束範囲に拘束されている場合、前記固定端子と前記可動端子とが導通接続する、
請求項１〜請求項３の何れか一項に記載のコネクタ。
【請求項５】
前記固定ハウジングは、前記可動端子における前記固定端子と接触する部分である可動側摺動部の当該固定ハウジングに対する前記第二方向の位置を所定の拘束範囲に拘束する拘束部を有しており、
前記可動側摺動部が前記拘束範囲に拘束されている場合、前記固定端子と前記可動端子とが導通接続する、
請求項１〜請求項３の何れか一項に記載のコネクタ。
【請求項６】
基板に固定される固定ハウジングと、
前記固定ハウジングに対して前記基板の平面に沿う方向のうちの互いに垂直な方向である第一方向と第二方向に移動が可能な可動ハウジングと、
前記固定ハウジングに保持された固定端子と、
前記固定端子とは別体に形成されると共に前記可動ハウジングに保持され、接続対象物と導通接続する可動端子と、
を備えるコネクタであって、
前記固定端子の平滑面と前記可動端子の平滑面とが接触していることで前記固定端子と前記可動端子とが導通接続しており、
前記可動ハウジングが前記固定ハウジングに対して前記第一方向に移動するとき、前記固定端子と前記可動端子とが互いの平滑面同士を接触させたまま摺動し、
前記可動ハウジングは、前記固定端子における前記可動端子と接触する部分である固定側摺動部の当該可動ハウジングに対する前記第二方向の位置を所定の拘束範囲に拘束する拘束部を有しており、
前記固定側摺動部が前記拘束範囲に拘束されている場合、前記固定端子と前記可動端子とが導通接続する、
コネクタ。
【請求項７】
基板に固定される固定ハウジングと、
前記固定ハウジングに対して前記基板の平面に沿う方向のうちの互いに垂直な方向である第一方向と第二方向に移動が可能な可動ハウジングと、
前記固定ハウジングに保持された固定端子と、
前記固定端子とは別体に形成されると共に前記可動ハウジングに保持され、接続対象物と導通接続する可動端子と、
を備えるコネクタであって、
前記固定端子の平滑面と前記可動端子の平滑面とが接触していることで前記固定端子と前記可動端子とが導通接続しており、
前記可動ハウジングが前記固定ハウジングに対して前記第一方向に移動するとき、前記固定端子と前記可動端子とが互いの平滑面同士を接触させたまま摺動し、
前記固定ハウジングは、前記可動端子における前記固定端子と接触する部分である可動側摺動部の当該固定ハウジングに対する前記第二方向の位置を所定の拘束範囲に拘束する拘束部を有しており、
前記可動側摺動部が前記拘束範囲に拘束されている場合、前記固定端子と前記可動端子とが導通接続する、
コネクタ。
【請求項８】
前記拘束範囲は、前記第二方向に幅のある範囲である、
請求項４〜請求項７の何れか一項に記載のコネクタ。
【請求項９】
前記可動ハウジングが前記固定ハウジングに対して前記第二方向に移動するときも、前記固定端子と前記可動端子とが互いの平滑面同士を接触させたまま摺動する、
請求項１〜請求項８の何れか一項に記載のコネクタ。
【請求項１０】
前記固定端子における前記可動端子と接触する部分である固定側摺動部と、前記可動端子における前記固定端子と接触する部分である可動側摺動部とは、前記第二方向に沿う板幅が互いに異なっている、
請求項１〜請求項９の何れか一項に記載のコネクタ。
【請求項１１】
前記固定端子における前記固定ハウジングに固定された部分である固定部と前記固定側摺動部との間に位置する部分であるバネ片部は、
前記基板の平面に直交する方向から見て前記第一方向に沿って延在していると共に、前記基板の平面と略直交する方向に曲げられた曲部を含んで構成されている、
請求項４又は請求項６に記載のコネクタ。